(57)【特許請求の範囲】
【請求項１】
少なくとも１つのステーションを含む少なくとも１つの遠隔制御装置から受信されるデータに基づいて前記ステーションに含まれる少なくとも１つの遮断器及び断路器の状態が一致するか否かを判断するステップと、
前記判断結果において、遮断器と断路器の状態不一致が確認されれば、該当遮断器及び断路器と前記遮断器及び断路器を含むステーションに重み付け値を与えるステップと、
既設定された基準重み付け値以上の重み付け値の累積値が確認されれば、該当遮断器及び断路器の誤動作を知らせるアラーム情報を生成するステップと、
前記生成されたアラームを出力するステップと、
を含むことを特徴とする、取得データの誤り補正のための方法。
【請求項２】
前記遮断器と断路器の状態が一致するか否かは、
前記遮断器及び断路器の開閉状態が一致するか否かを判断することを特徴とする、請求項１に記載の取得データの誤り補正のための方法。
【請求項３】
前記遮断器と断路器の開閉状態が一致するか否かは、所定の誤差範囲を超過する電力が感知される場合、該当遮断器及び断路器の不一致を判断することを特徴とする、請求項２に記載の取得データの誤り補正のための方法。
【請求項４】
前記遮断器と断路器の状態が一致するか否かは、
前記遮断器及び断路器が開放された状態での電力存在の有無を判断することを特徴とする、請求項１に記載の取得データの誤り補正のための方法。
【請求項５】
前記遮断器と断路器の状態が一致するか否かは、
前記遮断器及び断路器を含むステーションに引入及び入出される電力値が一致するか否かを判断することを特徴とする、請求項１に記載の取得データの誤り補正のための方法。
【請求項６】
少なくとも１つの遮断器及び断路器を含むステーションに引入及び引出される電力に対する所定の誤差範囲を設定し、前記誤差範囲を超過する電力が感知される場合、前記ステーションに含まれた遮断器及び断路器の不一致を判断することを特徴とする、請求項５に記載の取得データの誤り補正のための方法。
【請求項７】
前記遮断器及び断路器を含むステーションを連結するバスを通じて前記ステーションに引入及び引出される電力が一致するか否かを判断することを特徴とする、請求項１に記載の取得データの誤り補正のための方法。
【請求項８】
少なくとも１つの遮断器及び断路器を含むステーションを連結するバスを通じて引入及び引出される電力に対する所定の誤差範囲を設定し、前記誤差範囲未満または超過する電力値が感知されれば、該当遮断器及び断路器の不一致を判断することを特徴とする、請求項７に記載の取得データの誤り補正のための方法。
【請求項９】
少なくとも１つのステーションを含む少なくとも１つの遠隔制御装置からデータを受信する通信部と、
前記通信部を通じて受信されたデータに基づいて前記ステーションに含まれる少なくとも１つの遮断器及び断路器の状態が一致するか否かを判断し、前記一致するか否かに従う重み付け値を与える誤り判断部と、
前記誤り判断部で与えられる遮断器と断路器の累積重み付け値を格納するメモリ部と、
前記誤り判断部で判断された遮断器と断路器の状態が一致するか否かに従う累積重み付け値を確認し、前記累積重み付け値に基づいて前記遮断器及び断路器を含むステーションに誤りを確認する制御部と、
を含むことを特徴とする、取得データの誤り補正のための装置。
【請求項１０】
前記誤り判断部は、
前記遮断器及び断路器の開閉状態が一致するか否かを判断し、状態が一致されなければ、該当遮断器及び断路器に重み付け値を与えることを特徴とする、請求項９に記載の取得データの誤り補正のための装置。
【請求項１１】
前記誤り判断部は、
前記遮断器及び断路器が開放された状態で電力の存在の有無を判断し、前記所定範囲を超過する電力値が感知されれば、該当遮断器及び断路器に重み付け値を与えることを特徴とする、請求項９に記載の取得データの誤り補正のための装置。
【請求項１２】
前記誤り判断部は、
前記少なくとも１つの遮断器及び断路器を含むステーションに引入及び引出される電力が一致するか否かを確認し、前記電力値が所定範囲値を超過すれば、該当遮断器及び断路器に重み付け値を与えることを特徴とする、請求項９に記載の取得データの誤り補正のための装置。
【請求項１３】
前記誤り判断部は、
前記遮断器及び断路器を含むステーションを連結するバスを通じて前記ステーションに引入及び引出される電力が一致するか否かを判断し、前記電力値が所定範囲値を超過すれば、該当遮断器及び断路器に重み付け値を与えることを特徴とする、請求項９に記載の取得データの誤り補正のための装置。
【請求項１４】
前記通信部は、
前記制御部の判断結果によって前記累積重み付け値が基準値を超過すれば、該当遮断器及び断路器を含むステーションに誤り情報を出力することを特徴とする、請求項９に記載の取得データの誤り補正のための装置。
【発明の詳細な説明】
【技術分野】
【０００１】
本発明は、取得データの誤り補正のための装置及び方法に関し、特にエネルギー管理システムにおいて、フィールドから受信される入力データに対する誤り確認及び補正のための装置及び方法に関する。
【背景技術】
【０００２】
データ取得システムは、ＳＣＡＤＡ（Supervisory Control and Data Acquisition：集中遠隔監視制御システム）、ＡＭＩ（Advance Metering Infrastructure：知能型検針インフラ）、ＲＴＵ（Remote Terminal Unit）等を通じてエネルギー管理システムや配電自動化システム、鉄道システムなどの運営システムで多様に用いられている。
【０００３】
データ取得システムは、フィールドで実際状況に対する状態をデータ化してデータベースに格納し、これを通じて各種解析や視覚化されたデータを運営者に提供することができる運営システムである。
【０００４】
データ取得システムにより獲得されたデータを用いてトポロジーを構成し、設備間リンクを構成することができる。この際、設備間リンクされた部分で誤りが発生すれば、該当誤りに対する補正を遂行するようになる。
【０００５】
従来の場合、取得されたデータの誤りを補正するためには遮断器／断路器の不一致検査を施行する。この際、エネルギー管理システムを例に挙げれば、約６万個位の遮断器／断路器を全て確認することに困難性がある。したがって、任意の遮断器／断路器を選別して誤りデータに対する検査を遂行するようになる。したがって、システムの安定的な運営と信頼性の確保に対する困難性がある。
【発明の概要】
【発明が解決しようとする課題】
【０００６】
本発明の目的は、データ取得システムにおいて、異常履歴データに対するアラームをすることによって、系統のシステム安定化及び効率性を提供するための取得データの誤り補正のための装置及び方法を提供することにある。
【０００７】
本発明の他の目的は、遠隔制御システムから入力されるデータを参照して遮断器と断路器の状態に対する判断を遂行し、上記判断結果に従うアラームを出力するようにする取得データの誤り補正のための装置及び方法を提供することにある。
【０００８】
本発明の更なる他の目的は、遠隔制御システムから入力されるデータを参照して遮断器と断路器の状態に対する判断を遂行し、上記判断結果に従うアラームを出力するようにすることによって、遠隔制御システムの誤りを容易に確認及び補正できるようにする取得データの誤り補正のための装置及び方法を提供することにある。
【課題を解決するための手段】
【０００９】
一方、本実施形態で達成しようとする技術的課題は以上で言及した技術的課題に制限されず、言及されない更に他の技術的課題は以下の記載から提案される実施形態が属する技術分野で通常の知識を有する者に明確に理解されるべきである。
【００１０】
本発明の実施形態に従う取得データの誤り補正のための方法は、少なくとも１つのステーションを含む少なくとも１つの遠隔制御装置から受信されるデータに基づいて上記ステーションに含まれる少なくとも１つの遮断器及び断路器の状態が一致するか否かを判断するステップ、上記判断結果、遮断器と断路器の状態不一致が確認されれば、該当遮断器及び断路器と上記遮断器及び断路器を含むステーションに重み付け値を与えるステップ、既設定された基準重み付け値以上重み付け値の累積値が確認されれば、該当遮断器及び断路器の誤動作を知らせるアラーム情報を生成するステップ、及び上記生成されたアラームを出力するステップを含む。
【００１１】
一方、本実施形態に従う取得データの誤り補正のための装置は、少なくとも１つのステーションを含む少なくとも１つの遠隔制御装置からデータを受信する通信部、上記通信部を通じて受信されたデータに基づいて上記ステーションに含まれる少なくとも１つの遮断器及び断路器の状態が一致するか否かを判断し、上記一致するか否かに従う重み付け値を与える誤り判断部、上記誤り判断部で与えられる遮断器と断路器の累積重み付け値を格納するメモリ部、及び上記誤り判断部で判断された遮断器と断路器の状態が一致するか否かに従う累積重み付け値を確認し、上記累積重み付け値に基づいて上記遮断器及び断路器を含むステーションに誤りを確認する制御部を含む。
【図面の簡単な説明】
【００１２】
【図１】本発明の実施形態が適用されるデータ誤り補正システムのブロック構成図である。
【図２】本発明の実施形態に従うデータ誤り感知動作フローチャートである。
【発明を実施するための形態】
【００１３】
本明細書及び請求範囲に使われた用語や単語は通常的または辞典的な意味に限定して解釈されてはならず、発明者は自分の発明を最も最善の方法により説明するために用語の概念を適切に定義することができるという原則に立脚して本発明の技術的思想に符合する意味と概念として解釈されなければならない。
【００１４】
したがって、本明細書に記載された実施形態と図面に図示された構成は、本発明の最も好ましい一実施形態に過ぎないものであり、本実施形態の技術的思想を全て代弁するものではないので、本出願時点でこれらを代えることができる多様な均等物と変形例がありえることを理解すべきである。
【００１５】
図１は、本発明の実施形態が適用される取得データ誤り補正システムのブロック構成図である。
【００１６】
図１を参照すると、取得データ誤り補正システムは、データ収集装置１００及び遠隔制御装置１５０から構成できる。
【００１７】
データ収集装置１００は、通信部１１０、メモリ部１２０、誤り判断部１３０、及び制御部１４０を含むことができる。
【００１８】
通信部１１０は、遠隔制御システムに含まれる多数の遠隔制御装置１５０から発生されるデータを受信することができる。通信部１１０は、上記受信したデータを参照して誤り判断部１３０及び制御部１４０で確認された遮断器と断路器の状態に従う情報を該当遠隔制御装置に転送することができる。
【００１９】
メモリ部１２０は、上記通信部１１０を通じて受信されたデータを格納し、誤り判断部１３０で判断された遮断器と断路器の累積重み付け値を格納することができる。また、メモリ部１２０は遮断器と断路器とが一致するか否か及び電力量に従う漏洩電流量を格納することができる。即ち、誤り判断部１３０で遮断器と断路器及びステーション、バスなどの電力状態を確認する時、既設定された誤差電力値の範囲を格納することができる。
【００２０】
誤り判断部１３０は、上記通信部１１０を通じて受信されたデータに基づいて遮断器と断路器との動作が一致するか否かを判断し、動作が一致するか否かに従う重み付け値を与えることができる。
【００２１】
誤り判断部１３０は、遠隔制御装置１５０から取得されたデータに基づいて遮断器と断路器の開閉が一致するか否かを判断する。誤り判断部１３０は、遮断器と断路器のオープン状態で電力の存在の有無を判断することができる。誤り判断部１３０は、遮断器及び断路器を含むステーションに引入及び引出される電力が一致するか否かを判断することができる。また、ステーションの遮断器と断路器とを連結するバスに引入及び引出される電力が一致するか否かを判断することができる。誤り判断部１３０は、上記判断結果によって誤りに従う重み付け値を与えることができる。
【００２２】
制御部１４０は、誤り判断部１３０で判断された遮断器と断路器とが一致するか否かに従う累積重み付け値を確認する。制御部１４０は、所定の累積重み付け値を超過する遮断器と断路器とを含むステーションに誤りを確認することができる。また、上記確認結果によって該当ステーションに上記通信部１１０を通じて誤り情報を出力することができる。
【００２３】
上記のように、本発明の実施形態が適用される取得データ誤り補正システムにおいて、取得データに対する誤り補正動作を図２を参照して詳細に説明する。
【００２４】
図２は、本発明の実施形態に従って取得データの誤り補正のための動作フローチャートである。
【００２５】
図２を参照すると、装置１００は少なくとも１つの遠隔制御装置１５０からデータを受信することができる（Ｓ２００）。
【００２６】
装置１００は、上記取得されたデータを参照してデータに誤りがあるか否かを確認することができる（Ｓ２１０）。
【００２７】
装置１００は、取得データに誤りがあるか否かを確認するために遮断器／断路器の動作が一致するか否か、遮断器／断路器の開放に従う状態が一致するか否か、ステーションの引入／引出に従う電力が一致するか否か、及びバスを通じた電力の引入／引出状態が一致するか否かを各々確認することができる。
【００２８】
装置１００は、遠隔制御装置１５０から取得されたデータに基づいて１つのステーションに存在する遮断器と断路器に対する開閉が一致するか否かを確認するようになる。１つのステーションに含まれた遮断器と断路器の状態に対して不一致に判断されれば（Ｓ２１１）、上記不一致に判断された遮断器／断路器を含むステーションに重み付け値を与えるようになる（Ｓ２１２）。
【００２９】
また、装置１００は遮断器と断路器が開放された状態での漏洩電流に対する電流値を感知するようになる。この際、遮断器と断路器が各々オープンされた状態で引入及び引出される漏洩電流の値が所定電流値以上の場合、該当遮断器と断路器の状態に対する不一致に判断するようになる（Ｓ２１３）。
【００３０】
したがって、装置１００は上記確認された遮断器及び断路器が開放された状態で測定された電流の値が所定範囲以上であるステーションに対する重み付け値を与えることができる（Ｓ２１４）。
【００３１】
また、装置１００は遠隔制御装置１５０の各々に含まれるステーションに引入及び引出される電力が一致するか否かを確認するようになる（Ｓ２１５）。即ち、遠隔制御装置１５０の各々に含まれる少なくとも１つのステーションに対して引入及び引出される電力が同一か否かを確認するようになる。この際、所定誤差範囲を超過する電力が感知されれば、該当遮断器及び断路器に重み付け値を与えるようになる（Ｓ２１６）。
【００３２】
また、装置１００は遠隔制御装置１５０に含まれるステーションを連結するバス（Bus）に引入及び引出される電力が一致するか否かを判断する（Ｓ２１７）。
【００３３】
装置１００は、バスを通じてステーションに含まれる遮断器及び断路器に引入及び引出される電力に対して所定誤差範囲を超過する場合、該当遮断器と断路器の動作状態に対して一致しないことを判断し、重み付け値を与えるようになる（Ｓ２１８）。
【００３４】
装置１００は、上記各々のステーションに含まれる遮断器及び断路器のデータに誤りがあるか否かを判断するための重み付け値に対して累積し、上記累積された値を確認する（Ｓ２１９）。
【００３５】
装置１００は、上記累積された重み付け値によってアラーム発生のための優先順位を設定することができる。装置１００は、上記累積された重み付け値によって所定範囲または最上の累積重み付け値を有する遮断器と断路器を確認する。上記確認結果によって該当遮断器と断路器を含むステーションに対するアラーム発生優先順位を設定することができる。
【００３６】
上記アラーム優先順位は累積重み付け値が高い遮断器と断路器を含むステーションに誤りを知らせるためのものである。
【００３７】
装置１００は、上記設定された優先順位によって該当ステーションの動作誤りを知らせるアラームを生成し、上記生成されたアラームを該当ステーションに出力することができる（Ｓ２３０）。
【００３８】
以上、本発明を好ましい実施形態をもとに説明したが、これは単なる例示であり、本発明を限定するのでない。本発明の本質的な特性を逸脱しない範囲内で、多様な変形及び応用が可能であることが同業者にとって明らかである。例えば、実施形態に具体的に表れた各構成要素は変形して実施することができ、このような変形及び応用にかかわる差異点も、特許請求の範囲で規定する本発明の範囲に含まれるものと解釈されるべきである。
【図１】
0005503037.tif 000002
【図２】
0005503037.tif 000003